(57)【要約】【課題】光ケーブルの傷まない光ケーブル収容箱を実現する。【解決手段】光ケーブルが貫通する孔を有する筐体と、光ケーブルを把持すると共に孔内に係止される把持具と、この把持具に設けられ、この把持具の孔内での係止状態を解除する係止解除用つまみとを備える光ケーブル収容箱によって実現する。また、把持具を光ケーブルが遊挿状態になるように孔内に保持する保持部を備える。さらに、筐体の孔の周壁には、光ケーブルの軸方向と交差する溝が構成され、この溝に、把持具に設けられる爪が歯合することによって、把持具が孔内に係止される。【選択図】　　　　図２
2004085714.tif 000002
【特許請求の範囲】
【請求項１】
光ケーブルが貫通する孔を有する筐体と、
前記光ケーブルを把持すると共に前記孔内に係止される把持具と、
この把持具に設けられ、この把持具の前記孔内での係止状態を解除する係止解除用つまみとを備えることを特徴とする光ケーブル収容箱。
【請求項２】
前記筐体の孔の部分は筐体本体とこれを覆う蓋で構成されていることを特徴とする請求項１記載の光ケーブル収容箱。
【請求項３】
前記孔を構成する周壁から構成される、前記筐体本体の開口部と、
この開口部を覆う、前記筐体本体に設けられる内蓋とを備えることを特徴とする請求項２記載の光ケーブル収容箱。
【請求項４】
前記筐体に設けられ、前記把持具を前記光ケーブルが遊挿状態になるように前記孔内に保持する保持部を備えることを特徴とする請求項１〜３のいずれか一項記載の光ケーブル収容箱。
【請求項５】
前記把持具の分解される方向が、前記開口部の有する空な領域を向かう方向であることを特徴とする請求項１〜４のいずれか一項記載の光ケーブル収容箱。
【請求項６】
前記筐体の孔の周壁には、前記光ケーブルの軸方向と交差する溝が構成され、この溝に、前記把持具に設けられる爪が歯合することによって、前記把持具が前記孔内に係止されることを特徴とする請求項１〜５のいずれか一項記載の光ケーブル収容箱。
【請求項７】
前記孔の周面に設けられる滑合溝と、
前記把持具に設けられる、前記滑合溝と滑合する滑合片とを備えることを特徴とする請求項１〜６のいずれか一項記載の光ケーブル収納箱。
【請求項８】
前記滑合片は、前記滑合溝に遊着されていることを特徴とする請求項７記載の光ケーブル収納箱。
【請求項９】
前記筐体に設けられ、前記把持具の抜出動作を阻止する止め具を備えることを特徴とする請求項１〜８のいずれか一項記載の光ケーブル収納箱。
【請求項１０】
光ケーブルが貫通する孔を有する筐体と、
前記孔に嵌挿することによって光ケーブルを把持する把持具と、
この把持具の前記孔の開口部分に設けられ、前記光ケーブルを保護するカバーとを備えることを特徴とする光ケーブル収容箱。
【請求項１１】
前記カバーは前期把持具と一体成形されていることを特徴とする請求項１０記載の光ケーブル収容箱。
【請求項１２】
前記カバーは、可撓性部材で構成されていることを特徴とする請求項１０または１１記載の光ケーブル収容箱。
【請求項１３】
前記カバーはナイロン製であることを特徴とする請求項１０〜１２のいずれか一項記載の光ケーブル収容箱。
【請求項１４】
前記可撓性部材は、スリットを備えることを特徴とする請求項１２記載の光ケーブル収容箱。
【請求項１５】
前記カバーは、前記把持具と独立して成形して把持具に取り付けたことを特徴とする請求項１０記載の光ケーブル収容箱。
【請求項１６】
前記カバーは、ポリプレン製であることを特徴とする請求項１５記載の光ケーブル収容箱。
【請求項１７】
前記カバーは、硬質のゴム製であることを特徴とする請求項１５記載の光ケーブル収容箱。
【発明の詳細な説明】
【０００１】
【発明の属する技術分野】
この発明は、光ケーブルの収容箱に関する。
【０００２】
【従来の技術】
従来、光ケーブルを終端処理する装置として、図１６に示すような技術があった。
【０００３】
図において、符号８は光ケーブル、符号４は筐体本体、符号２２ａは、筐体本体４に設けられ、光ケーブルの貫通する孔を構成する壁面から構成される開口部、符号３０ｐは、光ケーブル８を把持するとともに、開口部２２ａ内に係止される把持具で、凹型把持部材３２ｐ、蓋型把持部材３４ｐ、連結部材３６ｐ、被圧縮面３８ｐおよび４０ｐ、溝部４２ｐ、支持面４４ｐおよび４６ｐ並びに爪４８ｐを備える。符号２４ａは、爪４８ｐが歯合する溝で、爪４８ｐと溝２４ａとが歯合することによって、把持具３０ｐが開口部２２ａ内に係止される。符号２６ａおよび符号２８ａは、把持具３０ｐが備える被圧縮面３８ｐおよび４０ｐを圧縮するための、テーパを有するテーパ面である。
【０００４】
以上のような構成によれば、把持具３０ｐが開口部２２ａ内に押し込まれることによって、把持具３０ｐが開口部２２ａ内に係止されると共に、把持具３０ｐが光ケーブル８を把持することができる。
【０００５】
【発明が解決しようとする課題】
しかしながら、上記技術では、開口部２２ａから、開口部２２ａ内へ把持具３０ｐの挿入される方向と反対方向へ、作業者が把持具３０ｐを抜きだすことができないものであった。そのため、開口部２２ａ内から把持具３０ｐを取り外す場合、作業者は、光ケーブル８を掴み、溝２４ａに沿って爪４８ｐを移動させるように把持具３０ｐを持ち上げることによって、把持具３０ｐを開口部２２ａ内から抜き出すものであった。
【０００６】
したがって、従来技術は、把持具３０ｐを開口部２２ａ内から取り外すたびに、光ケーブル８を掴む必要があるので、光ケーブル８の有する光ケーブル心線が傷むことが多く、光ケーブル８の品質の劣化が生じ易いものであった。
【０００７】
この発明は、上述する課題を解決し、光ケーブル８の心線を傷めることが少なく、光ケーブル８の品質の劣化が少ない光ケーブル収容箱を提供することを目的とする。
【０００８】
【課題を解決するための手段】
この発明は、光ケーブルが貫通する孔を有する筐体と、
前記光ケーブルを把持すると共に前記孔内に係止される把持具と、
この把持具に設けられ、この把持具の前記孔内での係止状態を解除する係止解除用つまみとを備える光ケーブル収容箱である。
【０００９】
この発明は、前記筐体の孔の部分は筐体本体とこれを覆う蓋で構成されている光ケーブル収容箱である。
【００１０】
この発明は、前記孔を構成する周壁から構成される、前記筐体本体の開口部と、
この開口部を覆う、前記筐体本体に設けられる内蓋とを備える光ケーブル収容箱である。
【００１１】
この発明は、前記筐体に設けられ、前記把持具を前記光ケーブルが遊挿状態になるように前記孔内に保持する保持部を備える光ケーブル収容箱である。
【００１２】
この発明は、前記把持具の分解される方向が、前記開口部の有する空な領域を向かう方向である光ケーブル収容箱である。
【００１３】
この発明は、前記筐体の孔の周壁には、前記光ケーブルの軸方向と交差する溝が構成され、この溝に、前記把持具に設けられる爪が歯合することによって、前記把持具が前記孔内に係止される光ケーブル収容箱である。
【００１４】
この発明は、前記孔の周面に設けられる滑合溝と、
前記把持具に設けられる、前記滑合溝と滑合する滑合片とを備える光ケーブル収納箱である。
【００１５】
この発明は、前記滑合片は、前記滑合溝に遊着されている光ケーブル収納箱である。
【００１６】
この発明は、前記筐体に設けられ、前記把持具の抜出動作を阻止する止め具を備える光ケーブル収納箱である。
【００１７】
この発明は、光ケーブルが貫通する孔を有する筐体と、
前記孔に嵌挿することによって光ケーブルを把持する把持具と、
この把持具の前記孔の開口部分に設けられ、前記光ケーブルを保護するカバーとを備える光ケーブル収容箱である。
【００１８】
この発明は、前記カバーは前期把持具と一体成形されている光ケーブル収容箱である。
【００１９】
この発明は、前記カバーは、可撓性部材で構成されている光ケーブル収容箱である。
【００２０】
この発明は、前記カバーはナイロン製である光ケーブル収容箱である。
【００２１】
この発明は、前記可撓性部材は、スリットを備える光ケーブル収容箱である。
【００２２】
この発明は、前記カバーは、前記把持具と独立して成形して把持具に取り付けた光ケーブル収容箱である。
【００２３】
この発明は、前記カバーは、ポリプレン製である光ケーブル収容箱である。
【００２４】
この発明は、前記カバーは、硬質のゴム製である光ケーブル収容箱である。
【００２５】
【発明の実施の形態】
実施の形態１．
この実施の形態は、ＦＴＴＨ（Ｆｉｂｅｒ　Ｔｏ　Ｔｈｅ　Ｈｏｍｅ）と呼ばれる計画に基づき、家庭内に引き込まれる光ケーブルの余長処理または、終端処理に用いられる光ケーブルの収容箱に関するものである。
【００２６】
この実施の形態１にかかる構成について、図１（ａ）、図１（ｂ）、図２、図３および図４に基づいて説明する。
【００２７】
図１（ａ）および図１（ｂ）に基づいて、この実施の形態１の光ケーブル収容箱の構成について説明する。
【００２８】
なお、図１（ｂ）は、光ケーブルを光ケーブル収容箱の有する孔に挿入する方向から、筐体本体と蓋とを描いた平面図である。
【００２９】
図において、符号２は、この実施の形態１で使用される光ケーブル収容箱、符号４は光ケーブル収容箱２の筐体本体、符号６は筐体本体４を覆う蓋、符号８は第１の光ケーブル（以降、単に「光ケーブル」という）、符号９は筐体本体４と蓋６とから構成され、光ケーブル８の貫通する孔、符号１０は光ケーブル８の有するコネクタ、符号１２は筐体本体４に設けられるアダプタ、符号１４は第２の光ケーブル、符号１６は第２の光ケーブル１４の有するコネクタ、符号１８は、筐体本体４の有する、光ケーブル８の混線を防止する混線防止用枠、符号２０は、光ケーブル収容箱２に対して、光ケーブル８が固定される、ケーブル固定部である。
【００３０】
この実施の形態１の要部である、ケーブル固定部２０の構成について、図２、図３および図４に基づいて説明する。
【００３１】
図において、符号２２ａは、筐体本体４に設けられ、孔９を構成する壁面から構成される開口部、符号２４ａは開口部２２ａの周壁に設けられる複数の溝、符号２６ａおよび符号２８ａは、開口部２２ａの周壁が有する、テーパのついた面（以降、「テーパ面」という）、符号３０ａは、開口部２２ａ内に係止され、光ケーブル８を把持する把持具、符号２５ａは溝２４ａの一部の溝であって、光ケーブル８が把持具３０ａに把持されない状態で、把持具３０ａを開口部２２ａ内に係止する保持部である。
【００３２】
把持具３０ａの構成について、図２、図３および図４に基づいて説明する。
符号３２ａは凹型把持部材、符号３４ａは蓋型把持部材、符号３６ａは、凹型把持部材３２ａと蓋型把持部材３４ａとが分離しないように、凹型把持部材３２ａと蓋型把持部材３４ａとを連結する連結部材、符号３８ａは、凹型把持部材３２ａが有し、テーパ面２６ａから圧縮力を受ける被圧縮面、符号４０ａは、蓋型把持部材３２ａが有し、テーパ面２８ａから圧縮力を受ける被圧縮面、符号４２ａは、凹型把持部材３２ａの有する溝部、符号４４ａは、凹型把持部材３２ａが有し、把持具３０ａが光ケーブル８を把持する場合に、光ケーブル８を支持する支持面、符号４６ａは、蓋型把持部材３４ａが有し、把持具３０ａが光ケーブル８を把持する場合に、光ケーブル８を支持する支持面、符号４８ａは、凹型把持部材３２ａが有し、溝２４ａと歯合する爪である。なお、ここでは、溝２４ａと爪４８ａとが歯合する状態を係止状態という。符号５０ａは、凹型把持部材３２ａが有し、係止状態を解除する係止状態解除用つまみ、符号５２ａは、作業者が、係止状態解除用つまみ５０ａを図における左から右へ向かう方向に支持した場合に、その反対の方向に、作業者の支持する補助つまみである。符号５４ａは、凹型把持部材３２ａにおける、係止状態解除用つまみ５０ａの周囲に設けられる隙間、符号５６ａは、蓋型把持部材３４ａにおける、補助用つまみ５２ａの周囲に設けられる隙間である。
【００３３】
光ケーブル収容箱２の使用方法について、図１から図５に基づいて説明する。
作業者は、光ケーブル収容箱２の筐体本体４から蓋６を取り外して使用する。光ケーブル８は、ケーブル固定部２０によって、光ケーブル収容箱２に対して光ケーブル８の固定される位置が決定され、光ケーブル収容箱２から出る光ケーブル８の長さが決定される。また、光ケーブル８が光ケーブル収容箱２内で混線しないように、光ケーブル８は混線防止用枠１８の周りに配される。また、光ケーブル８の有するコネクタ１０は、光アダプタ１２の内部において、第２の光ケーブル１４のコネクタ１６と接続される。
【００３４】
作業者が、光ケーブル８を光ケーブル収容箱２に対して固定する場合の、ケーブル固定部８の動作を、図２から図５に基づいて説明する。
【００３５】
作業者は、凹型把持部材３２ａの溝部４２ａに光ケーブル８を載せた状態で、溝部４２ａに蓋型把持部材３４ａを挿入する。この挿入によって、凹型把持部材３２ａと蓋型把持部材３４ａとによって構成される隙間に、光ケーブル８が遊挿された状態が形成される。この状態で、作業者は把持具３０ａを開口部２２ａ内に挿入する。なお、この状態では、把持具３０ａの幅は、開口部２２ａ内における所定の位置の幅よりも大きいとする。なお、ここでいう把持具３０ａの幅とは、把持具３０ａの被圧縮面３８ａ上端と被圧縮面４０ａの上端との距離をいう。また、開口部２２ａ内における所定の位置の幅とは、テーパ面２６ａ上の所定の位置の点と、この点の図における上下方向の位置と同じその上下方向の位置にある、テーパ面２８ａ上の点とを結んだ長さをいう。
【００３６】
この状態で、把持具３０ａを開口部２２ａ内に挿入すると、把持具３０ａはテーパ面２６ａおよびテーパ面２８ａから締付けられ、支持面４４ａと支持面４６ａとの距離が短くなる。そして、把持具３０ａが開口部２２ａ内の所定の位置まで挿入されると、支持面４４ａと支持面４６ａとの間隔が、光ケーブル８の径より小さくなる。このとき、光ケーブル８が把持具３０ａによって把持される。また、光ケーブル８が把持具３０ａに把持される位置において、爪４８ａと溝２４ａとが歯合することによって、把持具３０ａが開口部２２ａ内において固定される。
【００３７】
また、溝２４ａは、テーパ面２６ａ上に複数設けられているので、把持具３０ａは、光ケーブル８の径の大きさに応じた位置において、係止されることができる。
【００３８】
光ケーブル８が光ケーブル収容箱２に対して固定されている場合に、光ケーブル収容箱２から出る光ケーブル８の長さを調節するときの光ケーブル８の動作について図５に基づいて説明する。
【００３９】
作業者が、図５において、左から右へ向かう方向ｅに係止状態解除用つまみ５０ａの上部を支持し、右から左へ向かう方向ｆに補助用つまみ５２ａの上部を支持するようにつまむ。すると、係止状態解除用つまみ５０ａの支持位置が最大たわみとなるように、係止状態解除用つまみ５０ａが変形する。そして、係止状態解除用つまみ５０ａのたわみが所定の量を越えたときに、爪４８ａが溝２４ａから抜き出された状態となる。この状態で、把持具３０ａを開口部２２ａ内から、図における下から上へ向かう方向ｇへ抜き出すことができる。また、把持具３０ａが、開口部２２ａ内における把持具３０ａの固定位置よりも、図における上方向ｇに移動すると、把持具３０ａに対する締付け力が解除され、光ケーブル８が把持具３０ａに遊挿された状態となる。そのため、作業者は光ケーブル収容箱２から出た光ケーブル８の長さを調節できるようになる。また、把持具３０ａが完全に開口部２２ａ内から抜け出ない程度に把持具３０ａを図における上方向ｇに移動すれば、保持部２５ａによって、把持具３０ａが開口部２２ａ内に係止され、光ケーブル８は把持具３０ａに遊挿された状態が構成される。
【００４０】
また、隙間５４ａ及び隙間５６ａが設けられているので、作業者が、係止状態解除用つまみ５０ａを図における左から右へ向かう方向ｅへ支持し、補助つまみ５２ａを図における右から左へ向かう方向ｆへ支持した場合に、把持具３０ａが圧縮されることによって、光ケーブル８までが圧縮されることがなくなる。
【００４１】
このような実施の形態の構成および動作によれば、係止状態解除用つまみ５０ａおよび補助つまみ５２ａをつまむことによって、把持具３０ａを開口部２２ａ内から、図における下から上へ向かう方向ｆに引きぬくことが出来るので、光ケーブルを摘んで持ち上げる必要がなくなり、光ケーブル収容箱２から出た光ケーブル８の長さが調節される場合に、光ケーブル８を傷めることがなくなる。
また、係止状態解除用つまみ５０ａおよび補助つまみ５２ａをつまむことによって、爪４８ａがテーパ面２６ａと接触しない状態で、把持具３０ａを開口部２２ａ内に挿入することもできる。
【００４２】
なお、この実施の形態１では、テーパ面２８ａには溝が設けられていないが、テーパ面２８ａにも溝２４ａと同様の溝をもうけることよって、把持具３０ａを図２における左右が反対になるように引っくり返して開口部２２ａ内に挿入しても、把持具３０ａを開口部２２ａ内に係止できる、ユーザーフレンドリーな光ケーブル収容箱２を実現することができる。
【００４３】
この実施の形態によれば、光ケーブル８をケーブル固定部２０から取り外すときに、光ケーブル８を摘んで持ち上げる必要が無く、、光ケーブル８に与える負担が少ない光ケーブル収容箱２０が実現される。
【００４４】
この実施の形態によれば、把持具３０ａのケーブル固定部２０に対する挿脱が、把持具３０ａの有する爪４８ａがテーパ面２６ａに引っかからない状態で行われるので、爪４８ａの傷まない光ケーブル収容箱が実現される。
【００４５】
実施の形態２．
この実施の形態２の光ケーブル収容箱２の構成について、図６に基づいて説明する。
【００４６】
符号５８ａ及び符号６０ａは、筐体本体４に設けられる、開口部２２ａを覆う内蓋である。
【００４７】
その他の構成については、実施の形態１と同一の符号を付して説明を省略する。
【００４８】
この実施の形態によれば、開口部２２ａを覆うように、筐体本体４に内蓋５８ａおよび６０ａが設けられているので、光ケーブル収容箱２に対して光ケーブル８を固定する位置を作業者が調節している等、筐体本体４から蓋６が取り外されている場合に、把持具３０ａが光ケーブル収容箱２から不用意に外れることを防止できる。
【００４９】
実施の形態３．
この実施の形態３の光ケーブル収容箱２の構成について、図７、図８、図９、図１０に基づいて説明する。なお、図９は図７において、開口部２２ｂ内に、光ケーブル８を把持する把持具３０ｂを挿入した光ケーブル収容箱２を、光ケーブル８の軸に沿って切った場合の断面図である。
【００５０】
図７は図１におけるケーブル固定部２０を表したものである。
【００５１】
なお、実施の形態１および実施の形態２と同じ構成については同一符号を付して説明を省略する。また、実施の形態１および実施の形態２と異なる形状であるものの、その部分が果たす技術的役割が同様のものについては、同一の数字と異なるアルファベットを用いた符号を付して、説明を省略する。以降の実施の形態においても、同一の数字の符号で、異なるアルファベットが付されている部材は、同一の数字が付された部材と同様の技術的役割を持つことを表す。
【００５２】
また、図７において、テーパ面は、筐体本体４における蓋部６０ｂ周辺に設けられるテーパ面２８ｂのみが描かれているが、筐体本体４における蓋部５８ｂ周辺にも、テーパ面２８ｂと同様のテーパ面（図示せず）が設けられている。
【００５３】
また、図７において、爪は、係止状態解除用つまみ５０ｂの周辺に設けられる爪４８ｂのみが描かれているが、係止状態解除用つまみ５１ｂの周辺にも、爪４８ｂと同様の爪（図示せず）がある。
【００５４】
この実施の形態３のケーブル固定部２０の構成と、実施の形態１および実施の形態２の構成との相違点を述べる。
【００５５】
開口部２２ｂは、その周壁において、図７における左右方向の面が互いに平行となっている点で開口部２２ａと異なる。また溝２４ｂおよび溝２４ｃは開口部２２ｂの周壁において平行となっている面上に設けられている。また、テーパ面２８ｂが図９における左右方向と上下方向とからなる勾配を有している点で、テーパ面２８ａと異なる。
【００５６】
また、把持具３０ｂは、保持部２５ｂと爪４８ｂとが歯合している状態において、図７における上下方向に蓋型把持部材３４ｂを引き抜くように、分解することができる。
【００５７】
また、図７の把持具３０ｂは、爪４８ｂが、蓋型把持部材３４ｂを覆うように位置する凹型把持部材３２ｂに設けられているので、保持部２５ｂと爪４８ｂとが歯合している状態において、図７における紙面奥から紙面手前に向かう方向に凹型把持部材３２ｂを持ち上げるように、把持具３０ｂを分解することは困難である。
【００５８】
しかし、図７の変形例の図１０のように、爪４８ｅが光ケーブル収納箱２の底面側の把持部材（図１０においては凹型把持部材３２ｅ）に設けられるように把持具３０ｅを構成すれば、保持部２５ｂと爪４８ｅとが歯合している状態において、図１０における紙面奥から紙面手前に向かう方向に蓋型把持部材３４ｅを持ち上げるように、把持具３０ｅを分解することもできる。
【００５９】
また、開口部２２ｂは、図７または図１０における上下方向に空な領域８２がある。また、紙面奥から手前に向かう方向に空な領域８４がある。
【００６０】
以上のような構成によれば、前記把持具３０ｂまたは３０ｅの分解される方向が、前記開口部２２ｂの有する空な領域８２または８４を向かう方向であるので、把持具３０ｂまたは３０ｅの一部である凹型把持部材３２ｂまたは３２ｅを保持部２５ｂおよび２５ｃに固定した状態で、把持具３０ｂまたは３０ｅのその他の一部である蓋型把持部材３４ｂまたは３４ｅを前記開口部２２ｂ内から取り出すことができる。したがって、把持具３０ｂまたは３０ｅの一部を固定した状態で、把持具３０ｂまたは３０ｅから光ケーブル８を取り除く作業や、把持具３０ｂまたは３０ｅに光ケーブル８を取り付ける作業を行うことができる。
【００６１】
次に、さらに、この実施の形態の構成が実施の形態２の構成と異なる点について述べる。
【００６２】
把持具３０ｂが、１つの係止状態解除用つまみと補助つまみではなく、２つの係止状態解除用つまみ５０ｂおよび５１ｂを有している点で、把持具３０ａと異なる。また、把持具３０ｂに、爪４８ｂと、係止状態解除用つまみ５１ｂの付近に設けられる爪（図示せず）とが設けられていると共に、開口部２２ｂの周壁に、溝が、溝２４ｂのみならず、溝２４ｂの設けられる面と向かい合う面に溝２４ｃが設けられている。
【００６３】
以上の構成によれば、２点において把持具３０ｂを係止するので、さらに安定した係止を実現することができる。
【００６４】
この実施の形態によれば、把持具３０ｂを保持部に保持した状態で、作業者は光ケーブル８の光ケーブル収容箱２に対する固定位置を調節できるので、作業者の作業している間に、把持具３０ｂが開口部２２ｂ内から外れ、把持具３０ｂを紛失することを防止できる。
【００６５】
実施の形態４．
この実施の形態４の構成について図１１に基づいて説明する。
【００６６】
図において、符号６４は、筐体本体４の一部に設けられる止め具である。
【００６７】
その他の構成については、同一の符号を付して説明を省略する。
【００６８】
以上の構成によれば、把持具３０ｂを開口部２２ａ内から取り外すときに、誤って、過大な勢いで把持具３０ｂを移動させたとしても、止め具６４によって把持具３０ｂの移動を止めることができるので、勢いあまって、把持具３０ｂを落とすことが防止される。
【００６９】
この実施の形態によれば、把持具３０ｂが必要以上にケーブル固定部２０から外れることを防止できるので、作業者の作業している間に、作業者が手を滑らせることを防止できる。
【００７０】
実施の形態５．
この実施の形態５について図１２（ａ）、図１２（ｂ）、図１３（ａ）及び図１３（ｂ）に基づいて説明する。
【００７１】
なお、図１２（ａ）は、光ケーブル収容箱２から蓋６を取り外し、筐体本体４の、紙面手前にある側面の一部を破断し、この実施の形態５におけるケーブル固定部２０を表す斜視図である。また、図１２（ｂ）は、図１２（ａ）において、筐体本体４の底面と直交する方向ｈに、光ケーブル固定部２０を眺めた場合の平面図である。また、図１２（ａ）および図１２（ｂ）では、把持具３０ｃは、開口部２２ｂの途中まで挿入されている。
【００７２】
図１３（ａ）は、図１２（ａ）において、筐体本体４の底面上であって、開口部２２ｂ内に把持具３０ｃの挿入される方向と直交する方向ｉに、把持具３０ｃを眺めた場合の平面図である。また、図１３（ｂ）は、図１２（ａ）において、開口部２２ｂ内に把持具３０ｃの挿入される方向と反対の方向ｊに、把持具３０ｃおよび筐体本体４の一部を眺める場合の平面図である。
【００７３】
図１３（ａ）、（ｂ）において、符号６６および符号６８は把持具３０ｃに設けられる滑合片、符号７０は、筐体本体４の底面に設けられ、滑合片６６及び滑合片６８と滑合する滑合溝である。なお、筐体本体４の底面とは、孔９の周面の壁である。また、滑合片６６および滑合片６８は滑合溝７０に遊着されている。この遊着および滑合を実現する構成例を図１３（ａ）および図１３（ｂ）に基づいて説明する。
【００７４】
滑合片６６および滑合片６８は、この実施の形態５に適合する程度に弾性変形し、撓む性質を有する。また、滑合片６６はテーパ７１の設けられる爪６７を、滑合片６８はテーパ７３の設けられる爪６９を有する。また、滑合片６６および滑合片６８が、滑合片６６と滑合片６８との間に隙間が生じるように、把持具３０ｃに設けられることが望ましい。
【００７５】
また、図１３（ｂ）において、滑合溝７０の幅ｋは、把持具３０ｃにおける爪６７の外縁から爪６９の外縁までの長さｌよりも小さい。
【００７６】
この把持具３０ｃを滑合溝７０に遊着させる動作を図１３（ａ）および図１３（ｂ）に基づいて説明する。
【００７７】
作業者は、滑合片６６および６８の位置と、滑合溝７０の、図１３（ｂ）における左右方向の位置とがほぼ一致している状態で、把持具３０ｃを滑合溝７０に向かって押しつける。その場合、爪６７および爪６９が、テ―パ７１の設けられる面またはテーパ７３の設けられる面において、滑合溝７０の口周辺から反力を受ける。
【００７８】
すると、滑合片６６および６８が撓み、または、爪６７または爪６９が弾性変形し、把持具３０ｃにおける爪６７の外縁から爪６９の外縁までの長さｌが、滑合溝７０の幅ｋよりも同等以下になる。そのため、爪６７および爪６９は滑合溝７０を通りぬけることができる。また、爪６７および爪６９が滑合溝７０を完全に通りぬけた場合に、爪６７および爪６９は筐体本体４の底面よりも下に位置する。
【００７９】
そして、爪６７および爪６９が筐体本体４の底面よりも図１３（ｂ）における下に位置する場合は、爪６７および爪６９は滑合溝７０の周壁から反力を受けなくなるので、滑合片６６および滑合片６８は、滑合溝７０に向かって把持具３０ｃが押しつけられる状態の前の状態における形状に戻る。したがって、把持具３０ｃにおける、爪６７と爪６９とを含む幅ｌは、滑合溝７０の幅ｋよりも大きくなる。そのため、把持具３０ｃを筐体本体４の底面から分離するために、そのまま持ち上げても、滑合溝７０が爪６７および爪６９の移動を妨げる。したがって、この場合、把持具３０ｃが筐体本体４の底面から分離しない。
【００８０】
一方、筐体本体４から把持具３０ｃを分離させたければ、爪６７および爪６９を摘むことによって、把持具３０ｃにおいて、爪６７と爪６９とを含む幅ｌを滑合溝７０の幅ｋよりも小さくし、把持具３０ｃを筐体本体４から分離するような方向へ移動させれば良い。
【００８１】
また、この滑合溝７０上を把持具３０ｃがスライドさせられたときに、把持具３０ｃの一部が開口部２２ｃ内から抜け出るほど、滑合溝７０の長さは長く設けられているので、作業者は狭い開口部２２ｂ内で作業を行う必要がなく、作業をさらに行いやすい光ケーブル収容箱２が実現される。
【００８２】
また、把持具３０ｃが滑合溝７０に沿って、開口部２２ｂ内から、把持具３０ｃが抜け出る程度に、滑合溝７０の長さが長く設けられるので、把持具３０ｃを筐体本体４に遊着させた状態で、開口部２２ｂ内から抜出すことができる。開口部２２ｂ内から把持具３０ｃを抜出せば、把持具３０ｃの周囲に作業領域ができるので、作業者が光ケーブル８の固定位置を調節する等の作業を行うことができる光ケーブル収容箱２が実現される。
【００８３】
その他の構成については、同一の符号を付して説明を省略する。
【００８４】
この実施の形態によれば、孔９の周面に設けられる滑合溝７０と、把持具３０ｃに設けられる、前記滑合溝７０と滑合する滑合片６６および６８とを備えているので、把持具３０ｃの挿脱動作が容易になる。
【００８５】
また、滑合片６６および６８が滑合溝７０に遊着されているので、滑合片６６および６８が滑合溝７０に遊着された状態で、把持具３０ｃが分解可能な場合に、把持具３０ｃを紛失する恐れを減少させることができる。
【００８６】
実施の形態６．
この実施の形態６について、図１４および図１５に基づいて説明する。
【００８７】
図において、符号７６は光ケーブル８を保護するカバーである。図１４において、このカバー７６は、凹型把持部材３２ｄに一体成形によって設けられ、半円筒のカバー７８と、その半円筒のカバー７８を覆う半円筒のカバー８０を有する。半円筒のカバー７８と半円筒のカバー８０とは、各々の一辺が一体的に、かつ、折れ曲がるように成形されている。また、半円筒のカバー７８に溝（図示せず）を設け、その溝（図示せず）に引っかかる爪（図示せず）を半円筒のカバー８０に設けるなどして、光ケーブル８を包むように構成される。
【００８８】
このカバー７６は所定の強さを有しながら、所定の可撓性を有している。例えば、このカバー７６を把持具３０ｄとともに、ナイロン（ナイロンは東レの商標である）を用いて一体的に成形するとすれば、強度は充分であるが、可撓性をさらに良くする必要がある。そのため、カバー７６にスリットを設け、可撓性がさらに良く、強度をもったカバーを作成することができる。
【００８９】
また、把持具３０ｄと独立してカバーを成形するとすれば、予め、可撓性の高い材質を用いてカバーを成形する。例えば、ポリプレンまたは硬質のゴムを用いる。この場合カバー７６は把持具に連結させなくとも良い。しかし、このカバー７６は、開口部２２ａにおける、光ケーブル８が光ケーブル収容箱２から出る出口において、光ケーブル収容箱２の内部と外部とに位置するように配されることが必要である。
【００９０】
以上の構成によれば、光ケーブル８がカバー７６を介して摘まれれた場合に、光ケーブル８の有する心線が痛むことはない。
【００９１】
また、カバー７６は可撓性を有しているので、筐体本体４から光ケーブル８が飛び出る口の周辺において、光ケーブル８が、光ケーブル４に比べて硬度な性質をもった筐体本体４の口を支点として、折り曲げられることも防止される。
また、把持具３０ｄが光ケーブル８を把持し、開口部２２ａ内に係止された場合に、把持具３０ｄの先端が開口部２２ａ内から突出するように設計すれば、把持具３０ｄ自身が光ケーブル８のカバー７６と同様の効果を奏することもできる。
【００９２】
この実施の形態によれば、カバー７６を摘むことによって、把持具をケーブル固定部２０から取り外すことができるので、光ケーブル８をケーブル固定部２０から取り外すときに、光ケーブル８を圧縮することが無く、光ケーブル８に与える負担が少ない光ケーブル収容箱２が実現される。
【００９３】
【発明の効果】
この発明によれば、光ケーブルをケーブル固定部から取り外すときに、光ケーブルを摘んで持ち上げる必要がないので、光ケーブルに与える負担が少ない光ケーブル収容箱が実現される。
【００９４】
この発明によれば、把持具のケーブル固定部に対する挿脱が、把持具の有する爪が溝にかからない状態で行われるので、溝の傷みが少ない光ケーブル収容箱が実現される。
【００９５】
この発明によれば、筐体本体に開口部を覆う内蓋が設けられているので、作業者が光ケーブル収容箱に対して光ケーブルを固定する位置を調節する作業をしている場合に、把持具の光ケーブル収容箱から外れることが防止される。
【００９６】
この発明によれば、把持具を保持部に保持した状態で、作業者は光ケーブルの光ケーブル収容箱に対する固定位置を調節できるので、作業者の作業している間に、把持具が保持部から外れ、把持具を紛失することを防止できる。
【００９７】
この発明によれば、把持具が必要以上にケーブル固定部から外れることを防止できるので、作業中の作業している間に、把持具が必要以上にケーブル固定部から外れることによって手を滑らせることを防止できる。
【００９８】
この発明によれば、把持具をスライドさせて挿脱することができるので、把持具の挿脱動作が容易になる。
【００９９】
この発明によれば、カバーを摘むことによって、把持具をケーブル固定部から取り外すことができるので、光ケーブルをケーブル固定部から取り外すときに、光ケーブルを圧縮することが少なく、光ケーブルに与える負担が少ない光ケーブル収容箱が実現される。
【０１００】
【図面の簡単な説明】
【図１】光ケーブル収容箱の構成図である。
【図２】実施の形態１のケーブル固定部の構成図である。
【図３】実施の形態１の把持具の構成図である。
【図４】実施の形態１の把持具の構成図である。
【図５】実施の形態１の把持具の構成図である。
【図６】実施の形態２のケーブル固定部の構成図である。
【図７】実施の形態３のケーブル固定部の構成図である。
【図８】実施の形態３の把持具の構成図である。
【図９】ケーブル固定部の断面図である。
【図１０】実施の形態３の他の把持具の構成図である
【図１１】実施の形態４のケーブル固定部の構成図である。
【図１２】実施の形態５のケーブル固定部の構成図である。
【図１３】実施の形態５のケーブル固定部における把持具の構成図である。
【図１４】実施の形態６のケーブル固定部構成図である。
【図１５】実施の形態６の把持具の構成図である。
【図１６】従来のケーブル固定部の構成図である。
【符号の説明】
２　光ケーブル収容箱　　　　　　　　４　筐体本体
６　蓋　　　　　　　　　　　　　　　８　光ケーブル
９　孔　　　　　　　　　　　　　　２２ａ、２２ｂ　開口部
２４ａ、２４ｂ、２４ｃ　溝
２５ａ、２５ｂ、２５ｃ　保持部
３０ａ、３０ｂ、３０ｃ、３０ｄ、３０ｅ　把持具
４８ａ、４８ｂ、４８ｃ、４８ｄ、４８ｅ　爪
５０ａ、５０ｂ、５１ｂ、５０ｃ、５１ｃ、５０ｅ、５１ｅ　係止状態解除用つまみ
５２ａ　補助つまみ　　　　　　　　　５８ａ、５８ｂ、５８ｃ　内蓋
６６、６８　滑合片　　　　　　　　　７０　滑合溝
７６　カバー　　　　　　　　　　　　８２、８４　空な領域。
【図１】
2004085714.tif 000003
【図２】
2004085714.tif 000004
【図３】
2004085714.tif 000005
【図４】
2004085714.tif 000006
【図５】
2004085714.tif 000007
【図６】
2004085714.tif 000008
【図７】
2004085714.tif 000009
【図８】
2004085714.tif 000010
【図９】
2004085714.tif 000011
【図１０】
2004085714.tif 000012
【図１１】
2004085714.tif 000013
【図１２】
2004085714.tif 000014
【図１３】
2004085714.tif 000015
【図１４】
2004085714.tif 000016
【図１５】
2004085714.tif 000017
【図１６】
2004085714.tif 000018